(57)【要約】      （修正有）【課題】製造コストを抑えることができ、さらには、簡易迅速に歯牙に装着可能な歯牙用ダムプロテクターを提供する。【解決手段】歯牙用ダムプロテクター１０は、歯牙Ａを挟むように配置される左右一対のダムプロテクター本体１と、ダムプロテクター本体同士を繋ぐ弾性弧状橋部６と、歯牙の咬合面に掛止可能な左右一対のストッパー７とを有し、一方のダムプロテクター本体が頬粘膜に当接し、他方のダムプロテクター本体が舌に当接する。ダムプロテクター本体の縁部には、歯牙の側面に係止される係止縁部３が形成されている。一方のストッパーは、一方のダムプロテクター本体に立設されており、他方のストッパーは、他方のダムプロテクター本体に立設されている。係止縁部は、２つの当接縁部３ａと、歯牙の側面に隙間を空けて対向する対向縁部３ｂとを有する。【選択図】図１
0003233658.tif 000002
【実用新案登録請求の範囲】
【請求項１】
歯牙を挟むように配置される左右一対のダムプロテクター本体と、
前記ダムプロテクター本体同士を繋ぐ弾性弧状橋部と、
前記歯牙の咬合面に掛止可能な左右一対のストッパーとを有し、
一方の前記ダムプロテクター本体が頬粘膜に当接し、他方の前記ダムプロテクター本体が舌に当接する歯牙用ダムプロテクターであって、
前記ダムプロテクター本体の前記歯牙側の縁部には、前記歯牙の側面に係止される係止縁部が形成されており、
一方の前記ストッパーが、一方の前記ダムプロテクター本体に立設されており、
他方の前記ストッパーが、他方の前記ダムプロテクター本体に立設されている、ことを特徴とする歯牙用ダムプロテクター。
【請求項２】
前記係止縁部は、前記歯牙の側面に当接する前後一対の当接縁部と、前後一対の前記当接縁部の間において前記歯牙の側面に隙間を空けて対向する対向縁部とを有する、ことを特徴とする請求項１に記載の歯牙用ダムプロテクター。
【考案の詳細な説明】
【技術分野】
【０００１】
本考案は、歯牙を治療する際に頬粘膜や舌を堰き止めつつ保護する歯牙用ダムプロテクターに関する。
【背景技術】
【０００２】
虫歯になった歯牙に治療を施す場合には、一方の手に歯鏡を持って舌の側部を押さえながら、他方の手に持ったタービンで虫歯の部位を治療し、その傍らで、助手がバキュームチップを用いて頬粘膜を広げながら唾液や水を吸い取っている。
【０００３】
上記のとおり、虫歯を治療する際は、頬粘膜や舌を押さえながらタービンを使用するため、患者が不意に動いたとき、心理的に患部に触れようとして舌を動かしたとき、助手がバキュームチップを移動させたときなどに、タービンが舌や頬粘膜に接触する虞がある。
【０００４】
このような課題に対処しうるものとして、本願考案者は、頬粘膜及び舌をダムのように堰き止めつつ保護する歯牙用ダムプロテクターを提案した（特許文献１参照）。
この歯牙用ダムプロテクターは、湾曲した板状部を有する左右一対のダムプロテクター本体、これらを繋ぐ弾性弧状橋部、一方のダムプロテクター本体の歯牙側の縁部に立設された逆Ｌ字状のストッパーなどを備えるものである。歯牙用ダムプロテクターを用いて歯牙の治療を行う場合には、治療対象となる歯牙を挟むように一対のダムプロテクター本体を配置し、逆Ｌ字状のストッパーを歯牙に掛止して位置決めを行う。歯牙用ダムプロテクターを歯牙に装着すると、一方のダムプロテクター本体によって頬粘膜が押さえられ、他方のダムプロテクター本体によって舌が押さえられるので、タービンが頬粘膜あるいは舌に接触することを好適に防ぐことができる。
【先行技術文献】
【特許文献】
【０００５】
【特許文献１】実開平３−７１７号公報
【考案の概要】
【考案が解決しようとする課題】
【０００６】
特許文献１の歯牙用ダムプロテクターを用いて例えば下顎の歯牙を治療する場合には、通常、歯牙の内側（舌側）に逆Ｌ字状のストッパーを掛止するため、左右の歯牙に対応するためには、右側のダムプロテクター本体にストッパーを配した歯牙用ダムプロテクターと、左側のダムプロテクター本体にストッパーを配した歯牙用ダムプロテクターを用意する必要があるうえに、これらを大臼歯用、小臼歯用、犬歯用、さらには大人用、子供用について揃える必要があることから、歯牙用ダムプロテクターの種類が増えてしまい、金型等の製造コストが嵩むという問題がある。
なお、特許文献１の歯牙用ダムプロテクターは、逆Ｌ字状のストッパーの取付位置を選択できるように構成されているものの、小さな部品であるため、治療の際に都度変更することは煩雑である。
【０００７】
このような観点から、本考案は、製造コストを抑えることができ、さらには、簡易迅速に歯牙に装着可能な歯牙用ダムプロテクターを提供することを課題とする。
【課題を解決するための手段】
【０００８】
本考案は、歯牙を挟むように配置される左右一対のダムプロテクター本体と、前記ダムプロテクター本体同士を繋ぐ弾性弧状橋部と、前記歯牙の咬合面に掛止可能な左右一対のストッパーとを有し、一方の前記ダムプロテクター本体が頬粘膜に当接し、他方の前記ダムプロテクター本体が舌に当接する歯牙用ダムプロテクターである。前記ダムプロテクター本体の前記歯牙側の縁部には、前記歯牙の側面に係止される係止縁部が形成されており、一方の前記ストッパーが、一方の前記ダムプロテクター本体に立設されており、他方の前記ストッパーが、他方の前記ダムプロテクター本体に立設されている。
【０００９】
本考案に係る歯牙用ダムプロテクターを歯牙に装着すると、一方のダムプロテクター本体によって頬粘膜が押さえられ、他方のダムプロテクター本体によって舌が押さえられるので、タービン等の治療器具が頬粘膜や舌に接触することを好適に防ぐことができる。
また、本考案に係る歯牙用ダムプロテクターによれば、左右のダムプロテクター本体のそれぞれにストッパーが設けられているので、左右の歯牙のいずれにも装着することができる。すなわち、本考案によれば、左右別々に歯牙用ダムプロテクターを用意する必要がないので、歯牙用ダムプロテクターの種類を半減させることができ、ひいては、金型等の製造コストを抑えることができる。
なお、左右一対のストッパーの両方を同時に歯牙の咬合面に掛止する必要はなく、少なくとも一方のストッパーを歯牙の咬合面に掛止すればよい。
【００１０】
前記係止縁部は、前記歯牙の側面に当接する前後一対の当接縁部と、前後一対の前記当接縁部の間において前記歯牙の側面に隙間を空けて対向する対向縁部とを有することが好ましい。
【００１１】
ダムプロテクター本体の係止縁部の形状を歯牙の側面に線接触するような形状にすると、歯牙に装着した歯牙用ダムプロテクターの向きを調整し難くなるが、各ダムプロテクター本体において前後一対の当接縁部を歯牙の側面に当接させ、両当接縁部の間において歯牙の側面との間に隙間を設けると、歯牙を中心に歯牙用ダムプロテクターを左右に回動させ易くなるので、歯牙用ダムプロテクターを歯牙に装着した後でも、歯牙用ダムプロテクターの向きを調整することができる。
また、ダムプロテクター本体の係止縁部と歯牙の側面の間に確保された隙間にタービンを挿入できるようになるので、歯牙用ダムプロテクターを装着したまま歯茎近傍まで治療を行うことができる。
【考案の効果】
【００１２】
本考案に係る歯牙治療用ダムプロテクターによれば、歯科医師や助手が頬粘膜および舌を押さえずとも、歯牙の治療スペースを確保できるので、治療し易くなるとともに、舌や頬粘膜にタービンが接触することを防ぐことができるので、歯科医師および患者に与える不安感を緩和することができる。
【図面の簡単な説明】
【００１３】
【図１】本考案の実施形態に係る歯牙用ダムプロテクターの平面図である。
【図２】本考案の実施形態に係る歯牙用ダムプロテクターを歯牙に装着した状態を示す正面図である。
【図３】本考案の実施形態に係る歯牙用ダムプロテクターの斜視図である。
【考案を実施するための形態】
【００１４】
本考案の実施形態に係る歯牙用ダムプロテクター１０は、図１，２に示すように、歯牙Ａを挟むように配置される左右一対のダムプロテクター本体１，１と、ダムプロテクター本体１，１同士を繋ぐ弾性弧状橋部６と、歯牙Ａの咬合面に掛止可能な左右一対のストッパー７，７とを有し、一方のダムプロテクター本体１が頬粘膜Ｂに当接し、他方のダムプロテクター本体１が舌Ｃに当接するように構成されている。
【００１５】
ダムプロテクター本体１は、湾曲した板状を呈する圧排部２と、歯牙Ａの側面に係止される係止縁部３と、ダムプロテクター本体１を貫通する嵌入孔４と、ダムプロテクター本体１の裏面に設けられた突片５とを備えている。左右のダムプロテクター本体１，１は、間隔をあけた状態で並設されている。
【００１６】
圧排部２は、裏側に向けて凸となるように湾曲しており、圧排部２の外縁部は、弧状を呈している。
係止縁部３は、ダムプロテクター本体１の歯牙Ａ側の縁部に形成されている。歯牙用ダムプロテクター１０を歯牙Ａに装着すると、歯牙Ａの側方に圧排部２が配置され、圧排部２と歯牙Ａとの間に係止縁部３が配置される。なお、本実施形態では、圧排部２と係止縁部３とが一体に成形されているが、別体としてもよい。
係止縁部３は、歯牙Ａの側面に当接する前後一対の当接縁部３ａ，３ａと、前後一対の当接縁部３ａ，３ａの間において歯牙Ａの側面に隙間を空けて対向する対向縁部３ｂとを備えている。当接縁部３ａは、歯間の隙間に入り込めるよう三角形状を呈している。対向縁部３ｂは、円弧状を呈している。左右の係止縁部３，３は、左右対称に、且つ、対向するように形成されている。左右の係止縁部３，３の間に形成される歯牙挟持空間Ｄは、歯牙Ａに装着していない状態では、歯牙Ａの最小部よりやや狭い間隔となる。
【００１７】
嵌入孔４は、係止縁部３の周囲に形成されている。左右の嵌入孔４，４は、歯牙Ａを挟んで対向する位置に配置されている。嵌入孔４，４には、図３に示す拡幅用鉗子Ｅの先端ｅ，ｅが挿入される。
【００１８】
突片５は、舌先が歯茎側から治療部分に入り込まないようにガードするものであり、歯牙Ａの前方（図１において図面下側）においてダムプロテクター本体１の歯牙Ａ側の縁部に形成されている。突片５の形状は、歯茎を刺激しないよう丸みを帯びた形状を呈している。突片５は、例えば、ダムプロテクター本体１の一部を裏側に曲げることで形成することができる。
【００１９】
弾性弧状橋部６は、奥側（喉側）において左右のダムプロテクター本体１，１を繋いでいる。弾性弧状橋部６は、Ω字状を呈しており、歯牙用ダムプロテクター１０を歯牙Ａに装着すると、歯牙Ａの奥側（喉側）において歯牙Ａ（歯茎）を跨ぐように配置される。
【００２０】
ストッパー７は、ダムプロテクター本体１に立設されている。ストッパー７は、図２に示すように、雄ネジ部７ａと、雄ネジ部７ａの一端から側方に向かって張り出す掛止部７ｂとを備えている。雄ネジ部７ａは、ダムプロテクター本体１に形成された図示せぬ雌ネジ孔に螺合されている。したがって、ストッパー７を雄ネジ部７ａの軸回りに回転させると、ストッパー７の高さ（掛止部７ｂの位置）が調整される。そして、ストッパー７の高さを適宜調整しつつ掛止部７ｂを歯牙Ａに向けると、掛止部７ｂが歯牙Ａの咬合面に当接する。
本実施形態では、左右のダムプロテクター本体１，１のそれぞれにストッパー７が一つずつ配置されている。すなわち、一方のストッパー７は、一方のダムプロテクター本体１に立設されており、他方のストッパー７は、他方のダムプロテクター本体１に立設されている。
【００２１】
歯牙治療用ダムプロテクター１０を製造する場合には、例えば、左右のダムプロテクター１，１と弾性弧状橋部６とを係止縁部３，３が外側に向くように一枚の板状金属部材として打ち抜き、その後、左右のダムプロテクター本体１，１を係止縁部３，３が対向するように反転させ、弾性弧状橋部６をＣ字状に形成する。
【００２２】
次に、歯牙治療用ダムプロテクター１０の使用手順を説明する。
まず始めに、ダムプロテクター本体１，１の嵌入孔４，４に拡幅用の鉗子Ｅの先端ｅ，ｅを嵌入する（図３参照）。その後、鉗子Ｅを操作して歯牙挟持用空間Ｄを拡幅し、治療を必要とする歯牙Ａに係止縁部３，３を位置させる。そして、鉗子Ｅを操作して鉗子Ｅによる拡幅を緩やかに戻しつつ、鉗子Ｅの先端ｅ，ｅを嵌入孔４，４から離脱させると、弾性弧状橋部６の復元力により係止縁部３，３で歯牙Ａが挟持される。
【００２３】
そして、一対のストッパー７のうち、少なくとも一方のストッパー７を回転させ、雄ネジ部７ａを螺子孔に対して進退させ、ストッパー７の掛止部７ｂを歯牙Ａの咬合面に掛止する。これによって歯牙治療用ダムプロテクター１０の歯茎側への移動が防止される。なお、左右一対のストッパー７，７の両方を同時に歯牙Ａの咬合面に掛止する必要はなく、少なくとも一方のストッパー７を歯牙Ａの咬合面に掛止すればよい。左右のストッパー７，７のどちらを使用するかは、歯牙Ａの形状や状態に応じて適宜選択すればよいが、下側の歯牙Ａに歯牙治療用ダムプロテクター１０を装着する場合には、舌側のストッパー７を歯牙Ａの咬合面に掛止し（図２参照）、上側の歯牙Ａに歯牙治療用ダムプロテクター１０を装着する場合には、頬粘膜側のストッパー７を歯牙Ａの咬合面に掛止する場合が多い。
【００２４】
歯牙治療用ダムプロテクター１０を歯牙Ａに装着したら、歯牙Ａを中心に歯牙用ダムプロテクターを左右に回動させ、歯牙用ダムプロテクター１０の向きを調整する。本実施形態の歯牙治療用ダムプロテクター１０は、各ダムプロテクター本体１において前後一対の当接縁部３ａ，３ａを歯牙Ａの側面に当接させ、両当接縁部３ａ，３ａの間において歯牙Ａの側面との間に隙間が形成されるので、歯牙Ａに歯牙治療用ダムプロテクター１０を装着した後でも、歯牙用ダムプロテクター１０の向きを容易に調整することができる。
【００２５】
歯牙治療用ダムプロテクター１０を歯牙Ａに装着すると、圧排部２，２が頬粘膜Ｂ及び舌Ｃに、面接触し、頬粘膜Ｂ及び舌Ｃが歯牙Ａの周囲から排除される。圧排部２，２は、曲面を呈しているので、患者に不快感を与え難い。
【００２６】
歯牙治療用ダムプロテクター１０を歯牙Ａに装着した状態で歯牙Ａを治療する場合、助手は、水（タービン等を使用する際に摩擦によって熱せられる部分を冷却する水など）や患者の唾液等をバキュームチップによって吸い上げることに専念できる。その結果、口腔内に唾液および水等が溜まることが少なくなり、患者に唾液等が溜まる不快感を与え難くなるとともに、唾液等を飲み込む動作を起こす頻度が少なくなる。舌Ｃや喉を動かす頻度を少なくすることで、タービンが口腔内の一部に触れるのではないかという不安感を取り除くことができる。
【００２７】
また、歯牙治療用ダムプロテクター１０を歯牙Ａに装着すると、患者の頬粘膜Ｂおよび舌Ｃが常に押し退けられた状態になるので、歯科医師は、頬粘膜Ｂおよび舌Ｃを気にせずに歯牙Ａの治療に専念できる。しかも、ダムプロテクター本体１の係止縁部３と歯牙Ａの側面の間に隙間が確保されているので、歯牙用ダムプロテクター１０を歯牙Ａに装着したままでも、歯茎近傍までタービンを挿入して治療を行うことができる。
【００２８】
歯牙Ａの治療が完了したならば、拡幅用の鉗子Ｅにより、歯牙治療用ダムプロテクター１０を装着したときと同じ操作によって拡げて歯牙Ａから取り外し、一連の治療を完了する。
【００２９】
以上のとおり、歯牙用ダムプロテクター１０を歯牙Ａに装着すると、一方のダムプロテクター本体１によって頬粘膜Ｂが押さえられ、他方のダムプロテクター本体１によって舌Ｃが押さえられるので、タービンが頬粘膜Ｂや舌Ｃに接触することを好適に防ぐことができる。
【００３０】
また、歯牙用ダムプロテクター１０によれば、左右のダムプロテクター本体１，１のそれぞれにストッパー７が設けられているので、左右の歯牙Ａのいずれにも装着することができる。すなわち、一つの歯牙用ダムプロテクター１０で、左右のいずれの歯牙Ａにも対応できるので、歯牙用ダムプロテクター１０の種類を半減させることができ、ひいては、金型等の製造コストを抑えることができる。
【００３１】
なお、本考案は上記実施形態に限定されるものではない。例えば、弾性弧状橋部６を別体として取り付けてもよいし、圧排部２の形状を半円形や円形にしてもよい。
【符号の説明】
【００３２】
１０  歯牙治療用ダムプロテクター
１    ダムプロテクター本体
２    圧排部
３    係止縁部
３ａ  当接縁部
３ｂ  対向縁部
４    嵌入孔
５    突片
６    弾性弧状橋部
７    ストッパー
Ａ    歯牙
Ｂ    頬粘膜
Ｃ    舌
Ｄ    歯牙挟持用空間
Ｅ    鉗子
【図１】
0003233658.tif 000003
【図２】
0003233658.tif 000004
【図３】
0003233658.tif 000005